(57)【要約】【課題】  既存の電気機器であっても、また、リモートコントローラが付随しない電気機器であっても、待機電力等、不使用時に消費される電力を削減できるようにする。【解決手段】  少なくとも電源オンオフの指示操作が可能な操作部３と、操作部３での操作情報を無線送信する端末送信部５とを備えた携帯型の操作端末機１と、端末送信部５からの送信を受信する本体受信部９と、電気機器Ｍの電源供給路Ｌに設けられている電源スイッチ１０と、本体受信部９により受信された操作情報に基づいて電源スイッチ１０をオンオフ制御する制御部１１とを備えた電源制御装置２とを含んで電気機器の電源制御システムを構成した。【選択図】  図１
2010206914.tif 000002
【特許請求の範囲】
【請求項１】
携帯型の操作端末機と、電気機器の電源供給路上に設けられる電源制御装置とを含む電気機器の電源制御システムであって、
上記操作端末機は、少なくとも電源オンオフの指示操作が可能な操作部と、上記操作部での操作情報を無線送信する端末送信部とを備え、
上記電源制御装置は、上記端末送信部からの送信を受信する本体受信部と、上記電源供給路に設けられている電源スイッチと、上記本体受信部により受信された操作情報に基づいて上記電源スイッチをオンオフ制御する制御部とを備える、
ことを特徴とする電気機器の電源制御システム。
【請求項２】
単一の操作端末機に対して複数の電源制御装置が設けられており、
上記操作端末機において、上記操作部は、複数の電源制御装置のいずれかを選択するための選択手段を備え、上記端末送信部は、上記選択手段による選択を含む操作情報を送信するものであり、
上記各電源制御装置において、上記制御部は、上記本体受信部により受信された選択を含む操作情報に基づいて上記電源スイッチをオンオフ制御する、
ことを特徴とする請求項１に記載の電気機器の電源制御システム。
【請求項３】
上記電源制御装置は、電気機器に供給される電流を検出する電流検出部と、この電流検出部で得られた電流情報を無線送信する本体送信部とを備え、
上記操作端末機は、上記本体送信部からの送信を受信する端末受信部と、上記端末受信部で受信された電流情報を表示する表示部とを備える、
ことを特徴とする請求項１または２に記載の電気機器の電源制御システム。
【発明の詳細な説明】
【技術分野】
【０００１】
本発明は、各家庭で使用される各種電気機器の待機電力等、不使用時に消費される電力を削減する電源制御システムに関する。
【背景技術】
【０００２】
現在、各家庭で使用されている電気機器には、リモートコントローラ（リモコン）による遠隔操作が可能されたものが多く、そのような電気機器は、常時、リモートコントローラの操作に応答しうる待機状態にされているのが普通で、その待機状態の間、待機電力を消費する。
【０００３】
各電気機器で消費される待機電力は僅かであるが、待機状態をとる電気機器の数や、待機状態の時間を考慮すると、待機のために消費される電力量は相当量にのぼり、省エネルギーの面で好ましくない。
【０００４】
そのため、従来から、電気機器の待機電力量を削減する方策が種々考えられている。
【０００５】
待機電力を消費する電気機器は、リモートコントローラにより遠隔操作される機器であるから、例えば、上記のようにリモートコントローラにより遠隔操作される電気機器では、リモートコントローラを利用し、リモートコントローラからの電源オンオフの指令信号に応答して、待機電力をオンオフすることが提案されている（特許文献１参照）。
【先行技術文献】
【特許文献】
【０００６】
【特許文献１】特開２００１−３３９８５１号公報
【発明の概要】
【発明が解決しようとする課題】
【０００７】
しかしながら、上記のようにリモートコントローラを利用する待機電力の削減技術では、元々リモートコントローラからの指令信号に応答するようにされている電気機器の制御部に何らかの変更を加える必要が生じるので、実施が容易でなく、実際には既存の電気機器に採用できない。
【０００８】
また、リモートコントローラは電気機器の特定の機種に対応したものであるので、上記のように待機電力の削減にリモートコントローラを利用する場合、そのリモートコントローラが付随している電気機器しか対象にできず、多くの電気機器の待機電力を削減するのが難しい。
【０００９】
さらに、上記のように待機電力の削減にリモートコントローラを利用する技術は、言うまでもなく、リモートコントローラが付随しない電気機器には採用できない。
【００１０】
リモートコントローラが付随しない電気機器でも、不使用時に電力を消費するものがあって、例えば、電気ポットでは、保温のために適宜電力が供給される。このような電力は、不在時間が長い場合、カットしておくことが望ましい。
【００１１】
本発明は、上記従来の問題点に鑑みてなされたものであって、既存の電気機器であっても、また、リモートコントローラが付随しない電気機器であっても、複数の電気機器について、その待機電力等、不使用時に消費される電力を削減することができる電源制御システムを提供することを課題とする。
【課題を解決するための手段】
【００１２】
本発明は、上記課題を達成するために、携帯型の操作端末機と、電気機器の電源供給路上に設けられる電源制御装置とを含む電気機器の電源制御システムであって、上記操作端末機は、少なくとも電源オンオフの指示操作が可能な操作部と、上記操作部での操作情報を無線送信する端末送信部とを備え、上記電源制御装置は、上記端末送信部からの送信を受信する本体受信部と、上記電源供給路に設けられている電源スイッチと、上記本体受信部により受信された操作情報に基づいて上記電源スイッチをオンオフ制御する制御部とを備える電気機器の電源制御システムを構成した。
【００１３】
上記構成の電気機器の電源制御システムでは、制御対象である電気機器が待機状態にあるときに、使用者が操作端末機の操作部を、例えば電源オフの側へ操作すると、その操作情報は、端末送信部から無線で送信され、電気機器側の電源制御装置の本体受信部に受信される。電源制御装置の制御部は、この本体受信部に受信された操作情報（この場合は、電源オフを指示する操作情報）に基づいて、電源スイッチをオフにする。これで、電気機器への供給電流が遮断され、電気機器での待機電力がカットされる。
【００１４】
この場合、電源制御装置および操作端末機は、電気機器とは独立に動作しうる別個の装置、機器であるから、既存の電気機器についてその制御部に何らの変更をも加えることなく使用でき、したがって、既存の電気機器を制御対象として、その待機電力等、不使用時の消費電力を削減できる。
【００１５】
上記構成の電気機器の電源制御システムにおいて、単一の操作端末機に、単一の電源制御装置を対応させてもよいが、一実施形態として、単一の操作端末機に対して、複数の電源制御装置が設けられており、上記操作端末機において、上記操作部は、複数の電源制御装置のいずれかを選択するための選択手段を備え、上記端末送信部は、上記選択手段による選択を含む操作情報を送信するものであり、上記各電源制御装置において、上記制御部は、上記本体受信部により受信された選択を含む操作情報に基づいて上記電源スイッチをオンオフ制御する構成とすることが望ましい。
【００１６】
上記の実施形態では、使用者が、操作端末機の選択手段を操作することで、複数の電源制御装置のうちのいずれかを選択すると、その選択を含む操作情報が電源制御装置側に送信され、選択された電源制御装置において、制御部が電源スイッチをオンオフ制御することになり、その電源制御装置が接続されている電気機器において、待機電力がカットされたり、電源が投入されたりする。
【００１７】
したがって、この実施形態では、複数の電気機器を制御対象として、そのうちの一部または全部の待機電力等、不使用時の消費電力を削減できる。
【００１８】
本発明の他の実施形態として、上記電源制御装置は、電気機器に供給される電流を検出する電流検出部と、この電流検出部で得られた電流情報を無線送信する本体送信部とを備え、上記操作端末機は、上記本体送信部からの送信を受信する端末受信部と、上記端末受信部で受信された電流情報を表示する表示部とを備えるものであることが望ましい。
【００１９】
この実施形態では、操作端末機の表示部に、制御対象である電気機器に電流が供給されているか否かが表示される。したがって、使用者は、通常手元にある操作端末機の表示部を見るだけで、電気機器への電流供給状況、すなわち、電気機器の動作状態を確認することができ、待機電力のカット等、必要な措置を的確に行うことができる。
【発明の効果】
【００２０】
本発明によれば、既存の電気機器を制御対象として、その制御部に変更を加えずに容易に電気機器の待機電力等、不使用時の消費電力を削減できる。
【００２１】
また、操作端末機に選択手段を設けることで、単一の操作端末機でもって複数の電気機器を制御対象としうる。
【図面の簡単な説明】
【００２２】
【図１】本発明の一実施形態に係る電気機器の電源制御システムの外観構成図。
【図２】上記一実施形態に係る電気機器の電源制御システムの内部構成を示す図で、（Ａ）は操作端末機の内部構成図、（Ｂ）は電源制御装置の内部構成図である。
【発明を実施するための形態】
【００２３】
以下、本発明の実施の形態を、図を参照して説明する。本発明の一実施形態では、図１に示すように、電気機器の電源制御システムは、携帯型の操作端末機１と、制御対象である電気機器Ｍの電源供給側に設けられる電源制御装置２とからなる。
【００２４】
操作端末機１は、従来の電気機器のリモートコントローラのように小型で携帯しうるもので、後述するように電源制御装置２と無線で送受信を行うから、電源制御装置２に対して送受信可能の範囲にあればよい。電源制御装置２は、電気機器Ｍと商用電源Ｓとの間の電源ラインＬ上に設けられる。この電源制御装置２は、単一の操作端末機１に対して、複数用意されており、各電源制御装置２は、それぞれ異なる電気機器Ｍの電源ラインＬ上に設けられる。
【００２５】
ここで、制御対象となる電気機器Ｍは、待機電力等、不使用時にも電力を消費するタイプの電気機器で、リモートコントローラにより遠隔操作可能とされたものであってもよいし、そうでない電気機器であってもよい。
【００２６】
なお、図１では、複数の電気機器を互いに区別して示すためにＭ1，Ｍ2，…Ｍｎの符号を付し、複数の電源制御装置に２1，２2，…２ｎの符号を付しているが、特に区別して説明する必要がない場合は、単に電気機器Ｍ、電源制御装置２と称する。
【００２７】
次に、上記操作端末機１の内部構成を説明すると、操作端末機１は、図２の（Ａ）に示すように、操作部３を備えている。この操作部３には、電気機器Ｍの電源オンオフを指示するために操作される操作手段としての電源ボタン３ａと、複数の電源制御装置Ｍのいずれかを選択するための選択手段としての選択ボタン３ｂとが設けられている。
【００２８】
また、操作端末機１は、上記操作部３での操作信号から送信すべき信号を生成する信号生成部４と、この信号生成部４で生成された信号を操作情報を示すものとして無線送信する端末送信部５と、少なくとも送信すべき操作情報を表示する表示部６と、バッテリー７とを備えている。
【００２９】
さらに、操作端末機１は、電源制御装置１側からの送信を受信する端末受信部８を備えており、その端末受信部８で受信された情報（後に説明するが、電源ラインＬでの電流情報）が表示部６で表示されるよう、端末受信部８の出力は、表示部６に入力されるようになっている。
【００３０】
上記の操作端末機１では、操作部３の電源ボタン３ａおよび選択ボタン３ｂが操作されると、その操作情報は、端末送信部５から電源制御装置２の側へ送信される。この端末送信部５による無線送信には、電波による送信のほか、赤外線や超音波等による、通信線を介さない送信が含まれる。
【００３１】
一方、電源制御装置２は、図２の（Ｂ）に示すように、操作端末機１の端末送信部５からの送信を受信する本体受信部９と、電気機器Ｍへの電源ラインＬ上に設けられている電源スイッチ１０と、本体受信部９により受信された操作情報に基づいて電源スイッチ１０のオンオフを制御する制御部１１と、電気機器Ｍに供給される電源電流を検出する電流検出部１２と、この電流検出部１２で得られた検出電流値を電流情報として無線送信する本体送信部１３とを備えている。
【００３２】
上記の制御部１１は、本体受信部９により受信された操作情報から、選択情報を識別し、当該電源制御装置Ｍが選択されている場合、電源オンオフを示す操作情報に応じて電源スイッチ１０をオンオフする。
【００３３】
なお、電源制御装置２では、電気機器Ｍへの電源ラインＬから動作電力を得るようにしてもよいし、別にバッテリーを設けて、このバッテリーから動作電力を得るようにしてもよい。
【００３４】
上記構成の電源制御システムでは、電源制御装置２と送受信ができる範囲内で、使用者が操作端末機１の選択ボタン３ｂを操作した上で、電源ボタン３ａを、例えばオフ側に操作すると、その操作情報は、端末送信部５から電源制御装置２の側に送られ、各電源制御装置２の本体受信部９に受信される。
【００３５】
複数の電源制御装置２1，２2…のうち、特定の電源制御装置、例えば電源制御装置２1が選択されているとすると、その電源制御装置２1の制御部１１が操作情報に応答して電源スイッチ１０をオフにする。これで、選択された電源制御装置２1が接続されている電気機器Ｍ1への電力供給が遮断される。その電気機器Ｍ1が待機状態にあった場合は、待機電力がカットされる。
【００３６】
また、上記構成の感温制御システムでは、各電源制御装置２において、対応する電気機器Ｍへの供給電流が検出されて、その電流情報が本体送信部１３から操作端末機１側に無線送信される。この送信は操作端末機１の端末受信部８で受信されるから、操作端末機１では、各電源制御装置２からの電流情報が表示部６に表示される。使用者は、操作端末機１の表示部６を見ることで、各電気機器Ｍへの電流供給状況、すなわち、各電気機器Ｍの動作状態を確認することができる。
【００３７】
この場合、各電源制御装置２からの電流情報の送信は、操作端末機１からの何らの送信の受信に応じて、自動的にかつ所定の順序で行うようにしてもよく、また、操作端末機１から要求信号を送信することとし、この要求信号に応答して、各電源制御装置２から電流情報を送信するようにしてもよい。
【符号の説明】
【００３８】
１      操作端末機
２（２1，２2，２ｎ）  電源制御装置
３      操作部
３ａ    電源ボタン
３ｂ    選択ボタン
５      端末送信部
６      表示部
９      本体受信部
１０      電源スイッチ
１１      制御部
Ｍ（Ｍ1，Ｍ2，Ｍｎ）      電気機器
Ｌ      電源ライン
【図１】
2010206914.tif 000003
【図２】
2010206914.tif 000004